(57)【要約】【課題】本発明は簡単な構造でありながら、蛍光管から放射される光線を、他の蛍光管へ導くことができ、無効となる光をより減少させることのできる直下型バックライトモジュールを提供する。【解決手段】本発明の直下型バックライトモジュールは、第一拡散板、プリズム、第二拡散板、反射板、蛍光管で構成される。プリズムは第一拡散板の下に配置される。第二拡散板はプリズムの下に配置される。また、この構造には間隔を空けて配列される複数の突出反射部を備え持つ反射板と、蛍光管は、前記第二拡散板と前記反射板の間に配置される蛍光管とを備え、前記蛍光管が前記反射板の二つの隣接する突出反射部の間に配置される。【選択図】      図２Ａ
2004200139.tif 000002
【特許請求の範囲】
【請求項１】
第一拡散板と、
前記第一拡散板の下に配置されたプリズムと、
前記プリズムの下に配置された第二拡散板と、
前記第二拡散板の下に設置され、且つ間隔を空けて配列される複数の突出反射部を備え持つ反射板と、
蛍光管は前記第二拡散板と前記反射板の間に配置される蛍光管とを備え、
前記蛍光管が前記反射板の２つの隣接する突出反射部の間に配置される直下型バックライトモジュール。
【請求項２】
前記反射板の前記突出反射部は三角柱の形状をなしている請求項１に記載の直下型バックライトモジュール。
【請求項３】
前記反射板の前記突出反射部の断面は二つの弧状曲面と一つの直線から構成されている請求項１に記載の直下型バックライトモジュール。
【請求項４】
前記反射板の前記突出反射部上に更に複数の三角形の反射板が構成されている請求項２に記載の直下型バックライトモジュール。
【請求項５】
第一拡散板と、
前記第一拡散板の下に配置されたプリズムと、
前記プリズムの下に配置された第二拡散板と、
前記第二拡散板の下に設置され、前記反射板が複数の三角形反射部で構成される反射板と、
蛍光管は前記第二拡散板と前記反射板の間に配置される蛍光管とを備え、
前記蛍光管が前記反射板の前記三角形反射部の間に配置される直下型バックライトモジュール。
【請求項６】
前記反射板の前記三角形反射部上に更に複数の三角形の反射板が備わっている請求項５に記載の直下型バックライトモジュール。
【請求項７】
前記反射板に二つの隣接する三角形反射部の間に凹型のくぼみを形成させる請求項５に記載の直下型バックライトモジュール。
【発明の詳細な説明】
【０００１】
【発明の属する技術分野】
本発明は、直下型バックライトモジュールに関し、特に、蛍光管の光源が更に効果的に利用され、バックライトモジュールの輝度を高めるバックライトモジュールに関する。
【０００２】
【従来の技術】
図１は従来の直下型バックライトモジュール１である。従来の反射板１１の直下型バックライトモジュール１は平面構造で、蛍光管１２から放射される光線は両側へ伝わり、蛍光管１２へ入射される。他の蛍光管１２へ入射した光線は、ほぼ発光効果がなく、蛍光管１２の光学利用効率を大きく減少させている。
【０００３】
【発明が解決しようとする課題】
上述に鑑みて、本発明は簡単な構造でありながら、蛍光管から放射される光線を、他の蛍光管へ導くことができ、無効となる光をより減少させることのできる直下型バックライトモジュールを提供することにある。
【０００４】
本発明は反射板の特殊な突起構造を利用して、蛍光管の光源が、有効に利用されるようにし、蛍光管から横方向へ伝導された光線を、この反射板の特殊な突起構造を通過して、上部へと反射させることにより、直下型バックライトモジュールの輝度を増進し、電力消費量も減少され、直下型バックライトモジュールのコストを低めるものである。
【０００５】
【課題を解決するための手段】
本発明は上述の問題解決を図るため、以下詳述する特徴を用いる。つまり、本発明の直下型バックライトモジュールは、第一拡散板、プリズム、第二拡散板、反射板、蛍光管で構成される。プリズムは第一拡散板の下に配置される。第二拡散板はプリズムの下に配置される。また、この構造には間隔を空けて配列される複数の突出反射部を備え持つ反射板と、蛍光管は、前記第二拡散板と前記反射板の間に配置される蛍光管とを備え、前記蛍光管が前記反射板の二つの隣接する突出反射部の間に配置される。
【０００６】
また、本発明の直下型バックライトモジュールは、前記反射板の前記突出反射部が三角柱の形状をなしている。
【０００７】
また、本発明において、前記反射板の前記突出反射部の断面は二つの弧状曲面と一つの直線から構成されている。
【０００８】
また、本発明において、前記反射板の前記突出反射部上に更に複数の三角形の反射板が構成されている。
【０００９】
また、本発明において、前記反射板の下に複数の放熱フィンを設置し、前記反射板の放熱効果の促進に用いられる。
【００１０】
また、本発明において、前記反射板と前記突出反射部の表面は、反射材料でめっきしている。
【００１１】
また、本発明において、前記反射板と前記突出反射部の表面は、物理蒸着法(ＰＶＤ)により反射材料がめっきされている。
【００１２】
また、本発明の前記反射材料は、クロム或いはアルミニウムである。また、本発明の前記蛍光管は、ストレートタイプである。また、本発明の前記蛍光管は、カーブタイプである。
【００１３】
【発明の実施の形態】
本発明についての目的、特徴及び長所が一層明確に理解されるよう、以下に実施例を例示し、図面を参照にしながら、詳細に説明する。
【００１４】
（実施例１）
図２Ａでは、本発明の実施例の直下型バックライトモジュール１００は主に第一拡散板１１０、プリズム１２０、第二拡散板１３０、反射板１４０、及び複数の蛍光管１５０で構成されている。プリズム１２０は第一拡散板１１０の下に配置される。第二拡散板１３０はプリズム１２０の下に配置される。反射板１４０は第二拡散板１３０の下に配置される。蛍光管１５０は第二拡散板１３０と反射板１４０の間に配置している。また、反射板１４０上には間隔を空け配列された複数の突出反射部１６０を備えられ、そして蛍光管１５０は二つの隣接する突出反射部１６０の間に配置される。
【００１５】
本実施例では、蛍光管１５０はストレートタイプ或いはカーブタイプのどちらでもよい。突出反射部１６０は三角柱の形状をしており、反射板１４０と同様の材料で製造してもよい。そしてまた、突起反射部１６０の表面のめっきは反射板１４０と同様の反射材料で、例えば、クロム或いはアルミニウムである。そしてこの電気めっきの方法は物理蒸着法 (ＰＶＤ)を用いている。
【００１６】
このように、蛍光管１５０の放射する光線は反射板１４０及び突出反射部１６０を経由して上向きに反射し、第二拡散板１３０、プリズム１２０及び第一拡散板へと反射する。
【００１７】
また、図２Ｂでは、突出反射鏡１６０上に複数の微小な三角形反射板１６２を備えると、更に光線の反射効果が増進する。
【００１８】
また、蛍光管１５０の発光時に生じる熱は反射板１４０へ伝導する。そこで、図２Ａに示したように、反射板１４０の下部に複数の放熱フィン１７０を設置すると、反射板１４０の放熱効果が促進される。
【００１９】
図３Ａは従来の直下型バックライトモジュール１で、図３Ｂは直下型バックライトモジュール１００である。本発明の直下型バックライトモジュール１００の輝度増進を立証するために、両方の直下型バックライトモジュールを積分球に入れて光学測定したものである。その結果、赤、緑、青の３原色のスペクトル及び光束密度を測定した。
【００２０】
この実験には、直下型バックライトモジュール１と直下型バックライトモジュール１００のそれぞれ８本の蛍光管（ＣＣＦＬ）を採用した。そして、同条件のもと実験した。図３Ａ及び図３Ｂに見られるように直下型バックライトモジュール１では、９０．１１３６  ｌｕｍ、一方、直下型バックライトモジュール１００では、１２０．３０１  ｌｕｍの光束密度が測定された。このように、実験によると、直下型バックライトモジュール１００の発光は直下型バックライトモジュール１に比べ、大幅な増量が立証される。また、換言すれば、直下型バックライトモジュール１００の蛍光管１５０から横方向へと放射された光線は、発光効果のない他の蛍光管１５０へ入射することなく、完全に上部へと反射するのである。
【００２１】
上述のように、直下型バックライトモジュール１００の輝度が確実に促進されたことによって、同輝度の要求において、蛍光管１５０の設置数の減少、電力消費の減少が可能となる。
【００２２】
（実施例２）
図４に見られるように、第2実施例と第１実施例の異なる個所は、反射板１４０上の突出反射部１６０’は2つの弧状曲面が交差して構成され、突出部の構造となっている。その他の直下型バックライトモジュール１００’の構造と配置は実施例１と同様である。よって、実施例１と同様であるものは、同じ符号を用い、説明を省略する。
【００２３】
同様に蛍光管１５０より放出された光線は反射板１４０と突出反射部１６０’を経過して第二拡散板１３０、プリズム１２０と第一拡散板１１０へと上向きに反射される。このため、蛍光管１５０の横方向に放射された光線は突出反射部１６０’により、上部へ反射され、光源を無駄なく利用することができ、直下型バックライトモジュール１００’の輝度が促進する。
【００２４】
（実施例３）
図５に見られるように、この実施例３と先に挙げた実施例１と実施例２の最大の違いは、反射板の構造にある。この実施例の直下型バックライトモジュール１００’’の反射板１４０’は、複数の三角形反射部１４２’で構成され、のこぎり歯状の構造となっている。また、蛍光管１５０の位置は反射板１４０’の三角形反射部１４２’の間にある。その他は、直下型バックライトモジュール１００’’の構造と配置は実施例１と同様である。よって、実地例１と同様であるものは、同じ符号を用い、説明を省略する。
【００２５】
同様に蛍光管１５０より放出された光線は反射板１４０’の三角形反射部１４２’によって、第二拡散板１３０、プリズム１２０と第一拡散板１１０へ上向きに反射される。このように蛍光管１５０から放射され、横方向へ入射された光線は、反射板１４０’によって上向きへ反射され、光源を無駄にすることなく、直下型バックライトモジュール１００’’の輝度を促進することができる。
【００２６】
また、図５に見られるように、この実施例の反射板１４０’に二つの隣接する三角形反射部１４２’の間に凹型のくぼみ１４４’を形成すると、放熱効果を備える。また、反射板１４０’の下部に複数の放熱フィン１７０を対応させて設置することにより、反射板１４０’の放熱効果を更に増進する。
【００２７】
また、三角形反射部１４２’上に複数の微小な三角形反射面(未表示)を備えても、更に光線の反射効果を促進する。
【００２８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【００２９】
【発明の効果】
以上詳細に説明した様に、この発明の直下型バックライトモジュールは、蛍光管の減少、輝度の増進、及び電力消費の減少などの有益な利点がある。
【図面の簡単な説明】
【図１】従来の直下型バックライトモジュールの構造を示す図である。
【図２Ａ】本発明の実施例１の直下型バックライトモジュールの構造を示す図である。
【図２Ｂ】図２Ａの突出反射部上の複数の三角形反射面を示す図である。
【図３Ａ】図１の直下型バックライトモジュールの光学量測定である。
【図３Ｂ】図２Ａの直下型バックライトモジュールの光学量測定である。
【図４】本発明の実施例２の直下型バックライトモジュールの構造を示す図である。
【図５】本発明の実施例３の直下型バックライトモジュールの構造を示す図である。
【符号の説明】
１１    反射鏡
１２    蛍光管
１３、１５  拡散板
１４    プリズム
１００、１００’、１００’’  直下型バックライトモジュール
１１０  第一拡散板
１２０  プリズム
１３０  第二拡散板
１４０，１４０’  反射板
１４２’  三角形反射部
１４４’  凹型のくぼみ
１５０  蛍光管
１６０，１６０’  突出反射部
１６２  三角形反射鏡
１７０  放熱フィン
【図１】
2004200139.tif 000003
【図２Ａ】
2004200139.tif 000004
【図２Ｂ】
2004200139.tif 000005
【図３Ａ】
2004200139.tif 000006
【図３Ｂ】
2004200139.tif 000007
【図４】
2004200139.tif 000008
【図５】
2004200139.tif 000009